(57)【要約】【課題】組付け作業性を向上させること。【解決手段】複数の電池セル１１から成る電池モジュール１０の一列に並べられた電極端子群１４に組み付けられる基本バスバモジュール２１と、基本バスバモジュール２１を保持する保持部材５０と、を備え、基本バスバモジュール２１は、電極端子群１４のそれぞれの電極端子１３に対して電気的に接続される複数のバスバ３０と、フラットケーブル４０と、を備え、バスバ３０は、電極端子１３が挿通される貫通孔３１ａを有し、保持部材５０は、主体５１と、主体５１から突出させ、かつ、バスバ３０の貫通孔３１ａに挿通させてバスバ３０を保持する一方で、基本バスバモジュール２１の電極端子群１４への組付け作業に伴って突出側の先端に電極端子１３の先端から押圧力が加えられた際にバスバ３０の保持状態を解除する突出体５２と、を有すること。【選択図】図２
2017098037.tif 000002
【特許請求の範囲】
【請求項１】
複数の電池セルから成る電池モジュールの一列に並べられた電極端子群に組み付けられる基本バスバモジュールと、
前記基本バスバモジュールを保持する保持部材と、
を備え、
前記基本バスバモジュールは、前記電極端子群のそれぞれの電極端子の配列方向に沿って配列され、該当する前記電極端子に対して電気的に接続される複数のバスバと、複数の前記バスバに対して電気的に接続される導体部、及び、複数の前記バスバを保持する絶縁性の保持部を有するフラットケーブルと、を備え、
前記バスバは、前記電極端子が挿通される貫通孔を有し、
前記保持部材は、主体と、前記主体から突出させ、かつ、前記バスバの前記貫通孔に挿通させて前記バスバを保持する一方で、前記基本バスバモジュールの前記電極端子群への組付け作業に伴って突出側の先端に前記電極端子の先端から押圧力が加えられた際に前記バスバの保持状態を解除する突出体と、を有することを特徴としたバスバモジュール。
【請求項２】
前記保持部材は、絶縁性材料で成形し、かつ、前記バスバの保持状態の解除に伴い前記基本バスバモジュールから取り外した後、前記電池モジュール又は前記基本バスバモジュールの相手側係合体に係合させて前記主体を固定する係合体を有し、
前記主体は、前記固定後に前記電池モジュールとの間で前記バスバを覆い隠すことができるように形成することを特徴とした請求項１に記載のバスバモジュール。
【請求項３】
前記突出体は、前記主体から突出させた軸部と、前記貫通孔よりも大きく形成して、前記軸部の突出側の端部に設けた鍔部と、を有し、
前記鍔部は、前記貫通孔への挿通が可能な柔軟性を有することを特徴とした請求項１又は２に記載のバスバモジュール。
【請求項４】
前記基本バスバモジュールは、前記電極端子群の区画毎に設け、
前記保持部材は、複数の前記基本バスバモジュールを一括して保持するべく、前記主体と前記突出体と前記係合体とを形成することを特徴とした請求項１，２又は３に記載のバスバモジュール。
【請求項５】
複数の電池セルから成る電池モジュールと、
複数の前記電池セルを直列又は並列に電気的に接続させるバスバモジュールと、
を備え、
前記バスバモジュールは、前記電池モジュールの一列に並べられた電極端子群に組み付けられる基本バスバモジュールと、前記基本バスバモジュールを保持する保持部材と、を備え、
前記基本バスバモジュールは、前記電極端子群のそれぞれの電極端子の配列方向に沿って配列され、該当する前記電極端子に対して電気的に接続される複数のバスバと、複数の前記バスバに対して電気的に接続される導体部、及び、複数の前記バスバを保持する絶縁性の保持部を有するフラットケーブルと、を備え、
前記バスバは、前記電極端子が挿通される貫通孔を有し、
前記保持部材は、主体と、前記主体から突出させ、かつ、前記バスバの前記貫通孔に挿通させて前記バスバを保持する一方で、前記基本バスバモジュールの前記電極端子群への組付け作業に伴って突出側の先端に前記電極端子の先端から押圧力が加えられた際に前記バスバの保持状態を解除する突出体と、を有することを特徴とした電池パック。
【発明の詳細な説明】
【技術分野】
【０００１】
本発明は、バスバモジュール及び電池パックに関する。
【背景技術】
【０００２】
従来、電気自動車やハイブリッド車では、出力や航続距離等の観点から、多数の電池セルを並べて直列又は並列に接続した電池モジュールが搭載されている。その電池モジュールにおいては、それぞれの電池セルの何れか一方の電極端子を一列に並べ、かつ、他方の電極端子も一列に並べた状態で、それぞれの電池セルを連ねて配列している。この電池モジュールは、電池セル毎の収容室を備えた筐体に収容され、バスバモジュール等と共に電池パックとして構成されている。バスバモジュールは、例えば、一列に並べられた電極端子群毎に設けられるものであり、隣り合う電池セルの電極端子間を電気的に接続させる複数のバスバと、バスバに対して電気的に接続された複数本のバスバ毎の線状導体と、を少なくとも備えている。バスバには、電極端子が挿入される貫通孔が形成されている。それぞれの線状導体は、それぞれの軸線方向を合わせ且つ当該軸線方向に対する直交方向に並べて配置され、柔軟性のある被覆部で覆われて一体化されたフラットケーブルとして構成されている。それぞれのバスバは、その被覆部に一体化されている。この種のバスバモジュールや電池パックは、例えば下記の特許文献１に開示されている。
【先行技術文献】
【特許文献】
【０００３】
【特許文献１】特開２０１１−２１０７１０号公報
【発明の概要】
【発明が解決しようとする課題】
【０００４】
ところで、そのバスバモジュールは、バスバを保持しているフラットケーブルが柔軟性を有しており、電池モジュールへと組み付ける際に部分的に垂れ下がってしまう可能性があるので、その垂れ下がりを考慮した上で組付け作業を行うことになる。
【０００５】
そこで、本発明は、電池モジュールへの組付け作業性の向上が可能なバスバモジュール及び電池パックを提供することを、その目的とする。
【課題を解決するための手段】
【０００６】
上記目的を達成する為、本発明に係るバスバモジュールは、複数の電池セルから成る電池モジュールの一列に並べられた電極端子群に組み付けられる基本バスバモジュールと、前記基本バスバモジュールを保持する保持部材と、を備え、前記基本バスバモジュールは、前記電極端子群のそれぞれの電極端子の配列方向に沿って配列され、該当する前記電極端子に対して電気的に接続される複数のバスバと、複数の前記バスバに対して電気的に接続される導体部、及び、複数の前記バスバを保持する絶縁性の保持部を有するフラットケーブルと、を備え、前記バスバは、前記電極端子が挿通される貫通孔を有し、前記保持部材は、主体と、前記主体から突出させ、かつ、前記バスバの前記貫通孔に挿通させて前記バスバを保持する一方で、前記基本バスバモジュールの前記電極端子群への組付け作業に伴って突出側の先端に前記電極端子の先端から押圧力が加えられた際に前記バスバの保持状態を解除する突出体と、を有することを特徴としている。
【０００７】
ここで、前記保持部材は、絶縁性材料で成形し、かつ、前記バスバの保持状態の解除に伴い前記基本バスバモジュールから取り外した後、前記電池モジュール又は前記基本バスバモジュールの相手側係合体に係合させて前記主体を固定する係合体を有し、前記主体は、前記固定後に前記電池モジュールとの間で前記バスバを覆い隠すことができるように形成することが望ましい。
【０００８】
また、前記突出体は、前記主体から突出させた軸部と、前記貫通孔よりも大きく形成して、前記軸部の突出側の端部に設けた鍔部と、を有し、前記鍔部は、前記貫通孔への挿通が可能な柔軟性を有することが望ましい。
【０００９】
また、前記基本バスバモジュールは、前記電極端子群の区画毎に設け、前記保持部材は、複数の前記基本バスバモジュールを一括して保持するべく、前記主体と前記突出体と前記係合体とを形成することが望ましい。
【００１０】
また、上記目的を達成する為、本発明に係る電池パックは、複数の電池セルから成る電池モジュールと、複数の前記電池セルを直列又は並列に電気的に接続させるバスバモジュールと、を備え、前記バスバモジュールは、前記電池モジュールの一列に並べられた電極端子群に組み付けられる基本バスバモジュールと、前記基本バスバモジュールを保持する保持部材と、を備え、前記基本バスバモジュールは、前記電極端子群のそれぞれの電極端子の配列方向に沿って配列され、該当する前記電極端子に対して電気的に接続される複数のバスバと、複数の前記バスバに対して電気的に接続される導体部、及び、複数の前記バスバを保持する絶縁性の保持部を有するフラットケーブルと、を備え、前記バスバは、前記電極端子が挿通される貫通孔を有し、前記保持部材は、主体と、前記主体から突出させ、かつ、前記バスバの前記貫通孔に挿通させて前記バスバを保持する一方で、前記基本バスバモジュールの前記電極端子群への組付け作業に伴って突出側の先端に前記電極端子の先端から押圧力が加えられた際に前記バスバの保持状態を解除する突出体と、を有することを特徴としている。
【発明の効果】
【００１１】
本発明に係るバスバモジュールは、基本バスバモジュールが自重等で垂れ下がり等の変形を生じさせるとしても、その変形を抑えた状態で基本バスバモジュールが保持部材に保持されるので、その状態のまま電池モジュールへの組付け作業を行うことができる。従って、本発明に係るバスバモジュール及び電池パックは、バスバモジュールを電池モジュールに組み付ける際の組付け作業性を向上させることができる。
【図面の簡単な説明】
【００１２】
【図１】図１は、実施形態の電池パックを示す斜視図であって、バスバモジュールの組付け前の状態を示す図である。
【図２】図２は、実施形態の電池パックを別角度から見た斜視図であって、バスバモジュールの組付け前の状態を示す図である。
【図３】図３は、実施形態のバスバモジュールの分解斜視図である。
【図４】図４は、実施形態の基本バスバモジュールを示す上面図である。
【図５】図５は、実施形態のバスバモジュールを示す斜視図である。
【図６】図６は、図３のＸ１−Ｘ１線で切ったバスバモジュールの部分断面図である。
【図７】図７は、図５のＸ２−Ｘ２線で切ったバスバモジュールの部分断面図である。
【図８】図８は、実施形態のバスバモジュールの組み付け前の状態を示す部分断面図である。
【図９】図９は、実施形態のバスバモジュールの組み付け中の状態を示す部分断面図である。
【図１０】図１０は、電池モジュールに載置した基本バスバモジュールと基本バスバモジュールから脱離させた保持部材とを示す斜視図である。
【図１１】図１１は、図１０の基本バスバモジュールと保持部材についての部分断面図である。
【図１２】図１２は、基本バスバモジュールの電池モジュールへの組付け工程を示す斜視図であって、ナットの締め付け前の状態を示す図である。
【図１３】図１３は、絶縁カバーとしての保持部材の電池モジュールへの組付け前の状態を示す斜視図である。
【図１４】図１４は、実施形態の電池パックを示す斜視図であって、バスバモジュールの組み付け後の状態を示す図である。
【図１５】図１５は、実施形態の電池パックを示す上面図であって、バスバモジュールの組み付け後の状態を示す図である。
【図１６】図１６は、図１５のＹ−Ｙ線で切った保持部材の係合機構の部分断面図である。
【発明を実施するための形態】
【００１３】
以下に、本発明に係るバスバモジュール及び電池パックの実施形態を図面に基づいて詳細に説明する。尚、この実施形態によりこの発明が限定されるものではない。
【００１４】
［実施形態］
本発明に係るバスバモジュール及び電池パックの実施形態の１つを図１から図１６に基づいて説明する。
【００１５】
図１及び図２の符号１は、本実施形態の電池パックを示す。符号１０は、その電池パック１の電池モジュールを示す。符号２０は、その電池パック１のバスバモジュールを示す。
【００１６】
電池パック１は、電気自動車やハイブリッド車等の車両に搭載されるものであり、電池モジュール１０とバスバモジュール２０とを備える。電池モジュール１０とは、複数の電池セル１１の集合体である。バスバモジュール２０とは、複数の基本バスバモジュール２１が一体化されたものであり（図２及び図３）、電池モジュール１０の複数の電池セル１１を直列又は並列に電気的に接続させるものである。基本バスバモジュール２１とは、複数のバスバ３０とフラットケーブル４０との集合体である（図３及び図４）。この電池パック１においては、電池セル１１毎の収容室を備えた筐体に電池モジュール１０が収容される。本実施形態では、便宜上、その筐体の図示を省略している。
【００１７】
電池セル１１は、セル本体１２の一端に２つの電極端子１３を備える。例えば、この例示の電池セル１１は、セル本体１２が方体を成しており、その内の１つの面にそれぞれの電極端子１３を設けている。この例示では、その電極端子１３が設けられている面を車両の上方に向けている。この電池セル１１においては、その面における長手方向の両端に２本のスタッドボルトを垂設しており、そのそれぞれのスタッドボルトを各々電極端子１３として利用する。よって、それぞれの電極端子１３は、その面に対する直交方向に延在している。それぞれの電極端子１３は、一方が正極となり、他方が負極となる。
【００１８】
電池モジュール１０においては、それぞれの電池セル１１の何れか一方の電極端子１３を一列に並べ、かつ、他方の電極端子１３も一列に並べた状態で、それぞれの電池セル１１を連ねて配列している。つまり、電池モジュール１０は、それぞれの電池セル１１によって仮想的に方体を成し、その一面に、一列に並べられた電極端子１３から成る電極端子群１４として第１及び第２の電極端子群１４Ａ，１４Ｂを備えている（図１及び図２）。電池モジュール１０としては、それぞれの電極端子群１４において、正極と負極の電極端子１３を交互に配置したものもあれば、同極のものを並べて配置したものもある。この例示では、前者を例示している。尚、各図の電池モジュール１０は、配列された複数の電池セル１１の内の一部を抜粋したものである。
【００１９】
バスバモジュール２０は、複数の基本バスバモジュール２１と、複数の基本バスバモジュール２１を一括して保持する保持部材５０と、を備える（図１から図３及び図５）。本実施形態の電池パック１は、このバスバモジュール２０として、第１電極端子群１４Ａに組み付けられる第１バスバモジュール２０Ａと、第２電極端子群１４Ｂに組み付けられる第２バスバモジュール２０Ｂと、を備えている（図１及び図２）。
【００２０】
基本バスバモジュール２１は、先に示したように、複数のバスバ３０とフラットケーブル４０とを備える。バスバモジュール２０においては、電極端子群１４における電極端子１３の数量（換言するならば必要とされるバスバ３０の数量）に基づいて、基本バスバモジュール２１の数量を決める。この例示では、電極端子群１４を複数に区画し、その区画毎に基本バスバモジュール２１を組み付ける。第１バスバモジュール２０Ａは、２つに分けた第１電極端子群１４Ａの区画毎に第１及び第２の基本バスバモジュール２１Ａ，２１Ｂを用意しており、その第１及び第２の基本バスバモジュール２１Ａ，２１Ｂを保持する第１保持部材５０Ａを備えている。第２バスバモジュール２０Ｂは、２つに分けた第２電極端子群１４Ｂの区画毎に第３及び第４の基本バスバモジュール２１Ｃ，２１Ｄを用意しており、その第３及び第４の基本バスバモジュール２１Ｃ，２１Ｄを保持する第２保持部材５０Ｂを備えている。
【００２１】
ここで、第１から第４の基本バスバモジュール２１Ａ，２１Ｂ，２１Ｃ，２１Ｄは、それぞれが異なる形状のバスバ３０とフラットケーブル４０によって構成されていてもよく、それぞれが同じ構成になっていてもよい。また、第１保持部材５０Ａと第２保持部材５０Ｂは、それぞれが異なる形状のものであってもよく、それぞれが同じ形状のものであってもよい。本実施形態では、部品共用化に伴う組付け作業性の向上や原価の低減等の効果を得るべく、第１バスバモジュール２０Ａと第２バスバモジュール２０Ｂとに同一の構成のものを用いている。このため、以下においては、基本的に、第１バスバモジュール２０Ａを例に挙げてバスバモジュール２０の説明を行う。また、第１バスバモジュール２０Ａと第２バスバモジュール２０Ｂとでは、第１基本バスバモジュール２１Ａと第３基本バスバモジュール２１Ｃとが同一の構成のものであり、かつ、第２基本バスバモジュール２１Ｂと第４基本バスバモジュール２１Ｄとが同一の構成のものである。しかしながら、基本バスバモジュール２１は、その何れのものであろうと、同じ考えの下で構成することができる。このため、以下においては、基本的に、第１基本バスバモジュール２１Ａを例に挙げて基本バスバモジュール２１の説明を行う。
【００２２】
バスバ３０は、金属等の導電性材料から成る平板状のバスバ本体３１を備える（図４）。このバスバ３０は、バスバ本体３１を介して電極端子１３に対して電気的に接続される。バスバ本体３１と電極端子１３の電気的な接続には、ネジ止めを用いる。本実施形態では、電極端子１３がスタッドボルトを兼ねているので、後述するようにナット６０（図１２及び図１３）を電極端子１３に締め込んでいくことによって、バスバ本体３１を電極端子１３に対して物理的且つ電気的に接続させる。このため、バスバ本体３１には、電極端子１３を挿通するための円形の貫通孔３１ａが形成されている。バスバ３０は、電極端子群１４における自らに割り当てられた区画のそれぞれの電極端子１３の配列方向に沿って複数配列され、該当する電極端子１３に対して電気的に接続される。
【００２３】
例えば、このバスバ３０は、母材となる金属板（銅板等）に対する打ち抜き加工や折り曲げ加工等のプレス加工を施して成形される。本実施形態の基本バスバモジュール２１においては、バスバ３０とフラットケーブル４０とがそれぞれ個別に成形された後、バスバ３０をフラットケーブル４０に取り付けることで、バスバ３０とフラットケーブル４０とを一体化させる。このため、バスバ３０には、バスバ本体３１をフラットケーブル４０に取り付けるための保持体３２が設けられている。尚、バスバ３０は、フラットケーブル４０に一体化された金属板にプレス加工を施して成形することで、フラットケーブル４０に一体化してもよい。
【００２４】
具体的に、本実施形態のバスバ３０は、矩形のバスバ本体３１と、このバスバ本体３１の一方の端部に設けた保持体３２と、を備える。
【００２５】
本実施形態のバスバ３０は、電極端子群１４における自らに割り当てられた区画の隣り合う２つの電極端子１３を電気的に接続させるものである。このため、バスバ本体３１には、２つの貫通孔３１ａを並べて形成している。その２つの貫通孔３１ａのピッチの設計値は、その隣り合う２つの電極端子１３のピッチの設計値に一致させる。また、その２つの貫通孔３１ａの電極端子１３に対する大きさや形状については、隣り合う２つの電池セル１１におけるそれぞれの電極端子１３の間隔が公差の範囲内で最大限ずれたとしても、バスバ３０の電池セル１１への組み付けが行えるように設定する。
【００２６】
保持体３２は、バスバ本体３１において、２つの貫通孔３１ａの配列方向（つまり電極端子群１４における各電極端子１３の配列方向）に対する直交方向に位置している両端部の内の一方の端部に設ける。その端部には、２つの保持体３２を設けている。保持体３２は、第１加締め部３２ａと第２加締め部３２ｂとを有しており（図３）、この第１加締め部３２ａと第２加締め部３２ｂとでフラットケーブル４０を挟み込んで保持する。第１加締め部３２ａは、バスバ本体３１の一方の端部から貫通孔３１ａの配列方向に対する直交方向に延出させている。第２加締め部３２ｂは、第１加締め部３２ａの延出側の端部から当該第１加締め部３２ａに対して直交方向に延出させており、フラットケーブル４０の後述する保持孔４３に挿入し、根元（第１加締め部３２ａとの連結部分）から折り曲げることによって、第１加締め部３２ａと共にフラットケーブル４０への固定を行う。その折り曲げ方向は、どの様な向きでもよい。この例示では、第１加締め部３２ａ側へと折り返すように折り曲げ、第１加締め部３２ａと第２加締め部３２ｂとでフラットケーブル４０を挟み込むように加締めている。
【００２７】
フラットケーブル４０は、導体部４０ａと保持部４０ｂとに大別されるものであり（図４）、保持するバスバ３０の個数と同数の線状導体４１と、それぞれの線状導体４１を互いに間隔を空けて一体化させる被覆体４２と、を備える。導体部４０ａは、それぞれのバスバ３０とコネクタ（図示略）とを電気的に接続させる部分であり、それぞれの線状導体４１と絶縁性の被覆体４２の一部（後述する被覆部４２ａ）とによって構成される。そのコネクタは、導体部４０ａの一端に設けられたものであり、相手方コネクタに嵌合させることで、それぞれの線状導体４１を一括して相手方コネクタの導電体に対して各々接続させる。保持部４０ｂは、それぞれのバスバ３０を保持する部分であり、被覆体４２の残りの部分（後述するリブ４２ｂ）によって構成される。
【００２８】
線状導体４１は、例えば、電池セル１１の電圧を検出するための電圧検出線として利用される。この例示の線状導体４１は、金属（例えば銅）等の導電性材料から成る線状の円柱体であり、折り曲げ加工し得る程度の柔軟性を有する。線状導体４１は、バスバ３０毎に１本ずつ用意している。それぞれの線状導体４１は、それぞれの軸線方向を合わせ且つ当該軸線方向に対する直交方向に間隔を空けて並べることによって、同一平面上に配置する。これらの線状導体４１は、バスバ３０の配列方向（つまり電極端子群１４における各電極端子１３の配列方向）に軸線方向を一致させ、かつ、バスバ３０の保持体３２側に間隔を空けて並べて配置する。更に、それぞれの線状導体４１は、これらから成る仮想平面がバスバ本体３１の平面と略平行になるように配置する。尚、そのような同一平面上での配置が可能な線状導体４１の本数に限りがある場合、全ての線状導体４１は、同一平面上に配置された複数本の線状導体４１の組み合わせを複数用意し、これらを層状に重ねて配置してもよい。
【００２９】
被覆体４２は、絶縁性と柔軟性とを有する合成樹脂等の材料を用いて、外観形状が平板状の如くなるように成形する。この被覆体４２は、それぞれの線状導体４１を上記の配置のまま被覆する被覆部４２ａと、それぞれの線状導体４１の軸線方向に対する直交方向で且つバスバ３０側に被覆部４２ａから突出させたリブ４２ｂと、を有する。被覆部４２ａは、それぞれの線状導体４１を個別に被覆する円柱状の部分と、隣り合う円柱状の部分同士を連結させる平板状で且つ矩形状の部分と、を有している。リブ４２ｂは、平板状で且つ矩形状に成形されている。このリブ４２ｂには、それぞれのバスバ３０を保持するための貫通孔（以下、「保持孔」という。）４３がバスバ３０毎に形成されている。それぞれの保持孔４３は、フラットケーブル４０の長手方向（つまり電極端子群１４における各電極端子１３の配列方向）に沿って配置されている。保持孔４３は、バスバ３０毎に２箇所ずつ設けられており、そのバスバ３０の第２加締め部３２ｂを挿入できるように当該第２加締め部３２ｂの配置に合わせて形成する。
【００３０】
この基本バスバモジュール２１は、保持孔４３に取り付けられたバスバ３０に対して、該当する線状導体４１を電気的に接続させる。その電気的な接続は、別途用意した導電部材（図示略）でバスバ３０と線状導体４１とを繋げるものであってもよく、バスバ３０と線状導体４１とを直接繋げるものであってもよい。この例示では、フラットケーブル４０における導体部４０ａの先端部４０ａ１を対となるバスバ３０側へと線状導体４１毎に折り曲げ、その先端部４０ａ１における先端の被覆部４２ａを剥ぎ取って、剥き出しになった線状導体４１を対となるバスバ３０に対して溶接や鑞付け等で電気的に接続させる。
【００３１】
ここで、フラットケーブル４０は、隣り合うバスバ３０の間隔を変化させるべく、長手方向（線状導体４１の軸線方向）に伸縮できるよう構成することが望ましい。このために、例えば、フラットケーブル４０の導体部４０ａには、図示しないが、隣り合うバスバ３０の間に、そのような伸縮を可能にするＵ字状や山形の折り曲げ部が設けられている。
【００３２】
保持部材５０は、垂れ下がり等の変形を抑えた状態で柔軟性のある基本バスバモジュール２１を保持し、その状態のまま電池モジュール１０への組付け作業を行うために利用する。更に、この保持部材５０は、電池モジュール１０に組み付けられた基本バスバモジュール２１の絶縁カバーとしても利用する。よって、保持部材５０は、合成樹脂等の絶縁性材料によって成形する。この保持部材５０は、主体５１と、この主体５１から突出させた突出体５２と、を有しており（図１から図３及び図５）、その突出体５２を介して基本バスバモジュール２１を保持する。
【００３３】
この保持部材５０においては、その突出体５２をバスバ３０毎に設け、バスバ３０の貫通孔３１ａに嵌め込むことによって基本バスバモジュール２１の保持を行う。更に、この保持部材５０においては、主体５１に絶縁カバーの機能も持たせる。このため、主体５１は、そのような突出体５２を設けるべく、そして、絶縁カバーとして利用するべく、基本バスバモジュール２１（第１及び第２の基本バスバモジュール２１Ａ，２１Ｂ）における少なくとも全てのバスバ３０を一方の平面側から覆うことができるように形成する。つまり、主体５１は、突出体５２によるバスバ３０を介した基本バスバモジュール２１の保持が行えるように形成すると共に、基本バスバモジュール２１が電池モジュール１０に組み付けられた際に、電池モジュール１０との間で全てのバスバ３０を覆い隠すことができるように形成する。配列された全てのバスバ３０は、仮想的に矩形を成している。従って、主体５１は、その全てのバスバ３０の配列に合わせた矩形に形成する。この例示の主体５１は、バスバ３０だけでなく、基本バスバモジュール２１（第１及び第２の基本バスバモジュール２１Ａ，２１Ｂ）の全体を覆うことができるように、矩形の平板状に形成している。
【００３４】
この例示のバスバ３０は、貫通孔３１ａを２つ有している。このため、突出体５２は、バスバ３０毎に少なくとも１つ設ければよい。この例示では、バスバ３０毎に、２つの貫通孔３１ａに各々対応させた突出体５２を設けている。この突出体５２は、基本バスバモジュール２１と主体５１とを重ね合わせ、主体５１におけるバスバ３０の貫通孔３１ａと対向している位置に設ける。
【００３５】
この突出体５２は、その貫通孔３１ａに挿通させてバスバ３０を保持し得るように形成する一方で、基本バスバモジュール２１の電極端子群１４への組付け作業に伴って突出側の先端に電極端子１３の先端から押圧力が加えられた際にバスバ３０の保持状態を解除し得るようにも形成する。例えば、この突出体５２は、主体５１から突出させた軸部５２ａと、バスバ３０の貫通孔３１ａよりも大きく形成して、軸部５２ａの突出側の端部に設けた鍔部５２ｂと、を有している（図６及び図７）。そして、この突出体５２は、少なくとも鍔部５２ｂを貫通孔３１ａへの挿通が可能な柔軟性を有するように形成する。図６は、突出体５２を貫通孔３１ａに挿通させる前の状態を示している。図７は、突出体５２を貫通孔３１ａに挿通させた後の状態を示している。
【００３６】
例えば、鍔部５２ｂは、そのような柔軟性を持つよう薄肉に形成し、図６の矢印Ｒの方向への傾倒が行えるようにする。これにより、突出体５２を貫通孔３１ａに挿通させる際には、バスバ主体３１によって鍔部５２ｂが押動されて矢印Ｒの方向（時計回り方向）に傾倒し、鍔部５２ｂが貫通孔３１ａの側壁によって軸部５２ａ側に押し潰された状態で貫通孔３１ａを通過する。
【００３７】
また、突出体５２は、そのような鍔部５２ｂに加えて、軸部５２ａを柔軟性のある筒状に形成してもよい。例えば、ここで示す突出体５２は、柔軟性があり且つ貫通孔３１ａよりも小径の円筒状の軸部５２ａと、円環状の鍔部５２ｂと、を有しており、軸部５２ａを自らの径方向の内側に撓ませることができる。このため、突出体５２を貫通孔３１ａに挿通させる際には、バスバ主体３１によって鍔部５２ｂが押動されて矢印Ｒの方向（時計回り方向）に傾倒し、鍔部５２ｂが貫通孔３１ａの側壁によって軸部５２ａ側に押し潰されつつ、その鍔部５２ｂによって軸部５２ａが径方向の内側に押し潰される。従って、この突出体５２は、鍔部５２ｂのみに柔軟性を持たせた場合と比較して、鍔部５２ｂが貫通孔３１ａを通り抜けやすくなる。
【００３８】
また、突出体５２は、主体５１よりも柔軟性の高い絶縁性材料（例えばシリコン等）を用いて別部材として成形し、主体５１に一体化させてもよい。
【００３９】
保持部材５０は、このような突出体５２を有しているので、バスバ３０を介して基本バスバモジュール２１を保持することができる。つまり、本実施形態のバスバモジュール２０は、柔軟性を有する基本バスバモジュール２１が垂れ下がり等の変形を抑えた状態で保持部材５０に保持されている。このため、本実施形態のバスバモジュール２０及び電池パック１は、その垂れ下がり等の変形を抑えた状態のまま電池モジュール１０への組付け作業を行うことができるので、バスバモジュール２０を電池モジュール１０に組み付ける際の組付け作業性を向上させることができる。更に、本実施形態のバスバモジュール２０は、一列の電極端子群１４に必要とされる全ての基本バスバモジュール２１が保持部材５０に一括して保持されているので、その全ての基本バスバモジュール２１を電池モジュール１０に対して従来よりも少ない作業工数で組み付けることができる。従って、本実施形態のバスバモジュール２０及び電池パック１は、この点からも組付け作業性を向上させることができる。また更に、このバスバモジュール２０は、一列の電極端子群１４に必要とされる全ての基本バスバモジュール２１を１つの作業工程で電池モジュール１０に組み付けることができる。このため、本実施形態のバスバモジュール２０及び電池パック１は、基本バスバモジュール２１を個別に組み付ける従来のものよりも誤組み付けの発生を抑制することができる。
【００４０】
図１及び図８は、バスバモジュール２０を電池モジュール１０に組み付ける直前の状態を表している。その組み付けの際には、突出体５２の突出側の先端に電極端子１３の先端を押し付ける。その突出体５２の先端には、電極端子１３の先端を受ける凹状面５２ｃが設けられている。例えば、バスバモジュール２０を電池モジュール１０に組み付ける際には、作業者がバスバ３０を持ちながら電極端子１３の先端を凹状面５２ｃに押し付けることで、バスバ主体３１によって鍔部５２ｂが押動されて図６の矢印Ｒの方向（反計回り方向）に傾倒し、鍔部５２ｂが貫通孔３１ａの側壁によって軸部５２ａ側に押し潰されながら貫通孔３１ａを通り抜ける（図９）。これと共に、電極端子１３は、貫通孔３１ａに挿通される。従って、バスバモジュール２０は、電池モジュール１０の電極端子群１４に挿通された基本バスバモジュール２１と、基本バスバモジュール２１から脱離した保持部材５０と、に分けられる（図１０及び図１１）。電池モジュール１０側においては、電極端子１３にナット６０を締め込んでいくことによって、電極端子１３に対してバスバ３０を物理的且つ電気的に接続させる（図１２及び図１３）。
【００４１】
この電池パック１においては、前述したように、基本バスバモジュール２１から脱離させた保持部材５０を絶縁カバーとして用いる。保持部材５０は、基本バスバモジュール２１や電池モジュール１０における導電部材の絶縁カバーとして機能させるべく、主体５１が電池モジュール１０との間で基本バスバモジュール２１を覆い隠すことができるように、電池モジュール１０又は基本バスバモジュール２１に取り付ける（図１４及び図１５）。このため、保持部材５０は、バスバ３０の保持状態の解除に伴い基本バスバモジュール２１から取り外した後、電池モジュール１０又は基本バスバモジュール２１の相手側係合体７１に係合させて（図１６）、主体５１を固定する係合体５３を有する。主体５１は、少なくとも基本バスバモジュール２１や電池モジュール１０における導電部材に対して工具や作業者の身体等の導電体となり得るものが触れることができない程度まで、導電部材を覆い隠すことができるように形成及び配置すればよい。その導電部材とは、電池モジュール１０の電極端子１３、更には基本バスバモジュール２１におけるバスバ３０のことである。
【００４２】
この例示では、主体５１における突出体５２の配置された面とは逆側の面で基本バスバモジュール２１を覆う。つまり、この例示の保持部材５０は、基本バスバモジュール２１から脱離させた後、主体５１の表裏をひっくり返して電池モジュール１０又は基本バスバモジュール２１に取り付ける。この保持部材５０の係合体５３は、突出体５２とは逆向きに主体５１から突出させる。この保持部材５０は、主体５１の２つの長片に互いに間隔を空けて２つずつ係合体５３を設けている。例えば、その係合体５３は、その長片側から突出体５２とは逆向きに互いに間隔を空けて突出させた２つの突出部５３ａと、その２つの突出部５３ａの突出側の先端を繋ぐ係合部５３ｂと、を有するコの字状に形成する（図１６）。そして、相手側係合体７１は、その係合部５３ｂに引っ掛ける爪部７１ａを有するものとして形成する。
【００４３】
主体５１は、その係合体５３を介して電池モジュール１０又は基本バスバモジュール２１に固定した後、電池モジュール１０との間で少なくとも全てのバスバ３０を覆い隠すことができるので、全ての電極端子１３についても電池モジュール１０との間で覆い隠すことができる。このため、この主体５１は、電池パック１の絶縁性を向上させることができる。
【００４４】
以上示したように、本実施形態のバスバモジュール２０においては、保持部材５０が、電池モジュール１０に組み付けるまでの基本バスバモジュール２１の保持機能と、電池モジュール１０に組み付けた後の基本バスバモジュール２１や電池モジュール１０における導電部材の絶縁機能と、を兼ねている。このため、本実施形態のバスバモジュール２０及び電池パック１は、先に説明したバスバモジュール２０の電池モジュール１０への組付け作業性の向上や誤組み付け発生の抑制を図ることができると共に、基本バスバモジュール２１や電池モジュール１０における導電部材に対しての絶縁効果を図ることができる。また、保持部材５０は、基本バスバモジュール２１が電池モジュール１０に組み付けられた後、バスバモジュール２０の生産場所等に搬送して再利用する必要がない。そして、この電池パック１においては、絶縁カバーを別途用意する必要がない。このため、本実施形態のバスバモジュール２０及び電池パック１は、生産性の向上が可能になり、生産工数や原価の低減を図ることができる。
【００４５】
ところで、本実施形態では、バスバモジュール２０について、複数の基本バスバモジュール２１と複数の基本バスバモジュール２１を一括して保持する保持部材５０とを有するものとして例示したが、バスバモジュール２０は、１つの基本バスバモジュール２１及びこれを保持する保持部材５０を有するものとして構成してもよい。この場合、基本バスバモジュール２１は、電極端子群１４の全ての電極端子１３に接続されるバスバ３０を全て備えている。バスバモジュール２０及び当該バスバモジュール２０を有する電池パック１は、このようなバスバモジュール２０の構成であっても、先の説明と同様の効果を得ることができる。
【符号の説明】
【００４６】
１  電池パック
１０  電池モジュール
１１  電池セル
１３  電極端子
１４  電極端子群
２０  バスバモジュール
２１  基本バスバモジュール
３０  バスバ
３１  バスバ本体
３１ａ  貫通孔
４０  フラットケーブル
４０ａ  導体部
４０ｂ  保持部
４１  線状導体
５０  保持部材
５１  主体
５２  突出体
５２ａ  軸部
５２ｂ  鍔部
５３  係合体
７１  相手側係合体
【図１】
2017098037.tif 000003
【図２】
2017098037.tif 000004
【図３】
2017098037.tif 000005
【図４】
2017098037.tif 000006
【図５】
2017098037.tif 000007
【図６】
2017098037.tif 000008
【図７】
2017098037.tif 000009
【図８】
2017098037.tif 000010
【図９】
2017098037.tif 000011
【図１０】
2017098037.tif 000012
【図１１】
2017098037.tif 000013
【図１２】
2017098037.tif 000014
【図１３】
2017098037.tif 000015
【図１４】
2017098037.tif 000016
【図１５】
2017098037.tif 000017
【図１６】
2017098037.tif 000018